(57)【要約】【課題】  印刷時にホスト側であらかじめドキュメントをまとめたり、あるいは、分割することなく、プリンタ側で所望の大きさにそろえてロール紙の切断をなすことを可能とし、また、印刷物がばらばらになることなく、所望の貼り付け場所にあった出力結果を得ることを可能とし、ユーザの操作を軽減し、ユーザビリティーを向上させることができる。【解決手段】  ロール紙切断動作の動作内容の設定と、該設定によって設定された設定情報に基づいて、複数印刷単位毎に一回ロール紙切断動作をなすように構成された印刷システム。【選択図】  図１
2007130888.tif 000002
【特許請求の範囲】
【請求項１】
ロール紙を用いて印刷を行い、該ロール紙を切断するカッターを備えた印刷システムにおいて、ロール紙切断動作の動作内容を設定する設定手段と、該設定手段によって設定された設定情報に基づいてロール紙切断動作をなすロール紙切断手段であり、前記設定手段によって設定される設定情報のひとつは、少なくとも、複数印刷単位毎に一回ロール紙切断動作をなすように設定する設定情報であることを特徴とする印刷システム。
【請求項２】
前記請求項１記載の印刷単位は、ページのサイズからなる印刷単位であり、該サイズは、ロール紙縦方向の印刷サイズ、または、ロール紙印刷必要長であることを特徴とする印刷システム。
【請求項３】
前記請求項１記載の設定情報は、プリンタ本体で設定された設定情報、もしくは、該プリンタ本体に接続されたホストコンピュータで設定され、該プリンタ本体に対して通知の上設定された設定情報であることを特徴とする印刷システム。
【請求項４】
ロール紙を用いて印刷を行い、該ロール紙を切断するカッターを備えた印刷システムにおいて、ロール紙切断動作の動作内容を設定する設定処理と、該設定処理によって設定された設定情報に基づいてロール紙切断動作をなすロール紙切断処理であり、前記設定処理によって設定される設定情報のひとつは、少なくとも、複数印刷単位毎に一回ロール紙切断動作をなすように設定する設定情報であることを特徴とする印刷システム。
【請求項５】
前記請求項４記載の印刷単位は、ページのサイズからなる印刷単位であり、該サイズは、ロール紙縦方向の印刷サイズ、または、ロール紙印刷必要長であることを特徴とする印刷システム。
【請求項６】
前記請求項４記載の設定情報は、プリンタ本体で設定された設定情報、もしくは、該プリンタ本体に接続されたホストコンピュータで設定され、該プリンタ本体に対して通知の上設定された設定情報であることを特徴とする印刷システム。
【発明の詳細な説明】
【技術分野】
【０００１】
本発明は、ロール紙を用いて印刷を行い、該ロール紙を切断するカッターを備えた印刷システムにおける、ロール紙の切断方式に関するものである。
【背景技術】
【０００２】
従来例として、特開平４−１４２１４９および特開平９−８３７２には、ロール紙を１ページ単位で切断するよう制御すること、特開平３−１０２９５３には、印刷データが終了した場合には、ロール紙を切断させるようにカッター手段を駆動させること、特開２００４−１８２４２４には、用紙切断オフ指定手段を有することなどが記載されているが、いずれの場合も、ページ枚、ドキュメント／印刷データ毎に切断動作するもの、あるいは、切断動作をオフするものであって、複数印刷単位毎に一回ロール紙切断動作をなすように構成された例はない。
【特許文献１】特開平４−１４２１４９号公報
【特許文献２】特開平９−８３７２号公報
【特許文献３】特開平３−１０２９５３号公報
【特許文献４】特開２００４−１８２４２４号公報
【発明の開示】
【発明が解決しようとする課題】
【０００３】
従来、ロール紙を用いた印刷装置において、該ロール紙を切断するカッター動作の指示、設定方法は、”カット有”（印刷が終わった1ページごとに自動でロール紙をカット）、”カット無”（印刷が終わった1ページごとにロール紙をカットせず連続して印刷）のどちらか、あるいは、”ドキュメント毎にカット”等の設定しかできなかった。しかしながら、ポスター等の貼り場所に関し、例えば、駅など、Ａ１を３枚横に並べられる大きさの掲示板が、各駅などにある場合、従来だと、”カット有”とした場合、１ページ枚にカットされたものをそれぞれ印刷し、各駅に貼っていかなければならず、また、”ドキュメント毎にカット”として印刷させる場合は、あらかじめ、複数の画像、もしくはドキュメントを一つのドキュメントにまとめなければならない、また、３ｉｎ１の機能を使おうとしても、Ａ１横３枚等の用紙サイズ設定は無いので、その機能は使えないなど、甚だ不便である。
【０００４】
本発明は、印刷時にホスト側であらかじめドキュメントをまとめたり、あるいは、分割することなく、プリンタ側で所望の大きさにそろえてロール紙の切断をなすことを可能とし、また、印刷物がばらばらになることなく、所望の貼り付け場所にあった出力結果を得ることを可能とし、ユーザの操作を軽減し、ユーザビリティーを向上させた印刷システムを提供することを目的とする。
【課題を解決するための手段】
【０００５】
本発明に係る請求項１記載の印刷システムは、ロール紙切断動作の動作内容を設定する設定と、該設定によって設定された設定情報に基づいてロール紙切断動作をなすロール紙切断であり、前記設定によって設定される設定情報のひとつは、少なくとも、複数印刷単位毎に一回ロール紙切断動作をなすように設定する設定情報であることを特徴とする物である。
【０００６】
また、本発明に係る請求項２記載の印刷システムは、請求項１記載の印刷単位が、ページのサイズからなる印刷単位であり、該サイズは、ロール紙縦方向の印刷サイズ、すなわち、ロール紙印刷必要長であることを特徴とするものである。
【０００７】
また、本発明に係る請求項３記載の印刷システムは、請求項１記載の設定情報が、プリンタ本体で設定された設定情報、もしくは、該プリンタ本体に接続されたホストコンピュータで設定され、該プリンタ本体に対して通知の上設定された設定情報であることを特徴とするものである。
【発明の効果】
【０００８】
本発明によれば、印刷時にホスト側であらかじめドキュメントをまとめたり、あるいは、分割することなく、プリンタ側で所望の大きさにそろえてロール紙の切断をなすことを可能とし、印刷物がばらばらになることなく、所望の貼り付け場所にあった出力結果を得ることを可能とする効果がある。
【発明を実施するための最良の形態】
【０００９】
以下、図面を参照して本発明の一実施の形態を詳細に説明する。
【００１０】
図１は、本発明の一実施の形態を示す印刷システムの構成を説明するブロック図である。
【００１１】
図において、２は、ネットワーク３を介して接続されたプリンタ（Ｐｒｉｎｔｅｒ）１に対して同じくネットワーク３を介して印刷を行うホストＰＣ（ＰＣ）である。該プリンタ（Ｐｒｉｎｔｅｒ）１は、ホストＰＣ（ＰＣ）２から印刷がなされ、設定がなされた複数印刷単位毎設定情報に基づいて、切断要否判定（複数印刷単位か）を行い、切断要位置であれば、ロール紙切断を行い、否であれば、切断は行わず、印刷処理を続行する。
【００１２】
図２は、図１に示した印刷システムのシステム構成の一例を示すブロック図である。
【００１３】
図において、プリンタ（Ｐｒｉｎｔｅｒ）１に関し、１０３は、プリンタリードオンリーメモリ（ＰＲＯＭ）で、プリンタ（Ｐｒｉｎｔｅｒ）１のシステム全体の制御をつかさどるプリンタ制御用中央処理装置（ＰＣＰＵ）１０１の制御手順等を保持する。ここには、処理手順等が保持される。１０４は、プリンタメモリ（ＰＭＥＭＯＲＹ（ＲＡＭ／ＨＤ））で、本システムの処理に必要な情報を保持する。ここには、プリンタ（Ｐｒｉｎｔｅｒ）１の処理情報、作業領域等が保持される。１０５は、プリンタ（Ｐｒｉｎｔｅｒ）１に対して指示及び表示を行うコントロールパネル（ＣＯＮＴＲＯＬＰＡＮＥＬ）である。１０６は、情報等の表示をなすプリンタディスプレイ（ＰＤＩＳＰＬＡＹ）である。１０７は、プリンタ（Ｐｒｉｎｔｅｒ）１と印刷を施すホストＰＣ（ＰＣ）２とをネットワーク回線３を介して接続するネットワークポート接続のインターフェースをなすプリンタネットワークインターフェースコントローラ（ＰＮＥＴＷＯＲＫ  ＩＮＴＥＲＦＡＣＥ  ＣＯＮＴＲＯＬＬＥＲ）である。１０８は、プリンタユニット（ＰＲＴＵＮＩＴ）で、印刷ユニット、ロール紙の切断をなすカッターなどのハードウェア構成はここにある。プリンタ（Ｐｒｉｎｔｅｒ）１の各情報は、プリンタシステムバス（ＰＳＹＳＢＵＳ）１０２を介して行き来する。
【００１４】
図３は、本一実施の形態において使用される、プリンタ（Ｐｒｉｎｔｅｒ）１のＭＥＭＯＲＹ（ＲＡＭ／ＨＤ）１０４内の領域配置を説明する模式図である。
【００１５】
図において、１０４１から１０４４は、ロール紙切断動作の動作設定をなすために設定された情報に基づくもので、１０４１は、サイズ情報（ＳＩＮＦ）で、印刷単位のサイズ情報を保持する領域である。１０４２は、サイズ長情報（ＳＡＩＮＦ）で、前記サイズ情報（ＳＩＮＦ）１０４１に対応する、ロール紙縦方向の印刷サイズ、すなわち、ロール紙印刷実必要長情報を保持する領域である。１０４３は、設定数情報（ＤＣＩＮＦ）で、切断位置を印刷単位の複数印刷単位の数情報をもってあらわす情報として保持する領域である。１０４４は、切断長情報（ＣＡＩＮＦ）で、前記サイズ長情報（ＳＡＩＮＦ）１０４２と前記設定数情報（ＤＣＩＮＦ）とから求められる切断を求められるロール紙切断長さ情報を保持する領域である。１０４５は、ページサイズ情報（ＰＳＩＮＦ）で、印刷ドキュメントの該印刷単位（ページ）のサイズ情報を保持する領域である。１０４６は、ページサイズ長情報（ＰＳＡＩＮＦ）で、前記ページサイズ情報（ＰＳＩＮＦ）１０４６に対応する、ロール紙縦方向の印刷サイズ、すなわち、ロール紙印刷実必要長情報を保持する領域である。１０４７は、積算長情報（ＴＡＩＮＦ）で、実際に印刷を行ったロール紙縦方向の印刷長情報を保持する領域である。１０４８は、切断条件設定フラグ（ＣＦＬＧ）で、切断のための情報設定がなされたか否かを示す情報を保持する領域である。
【００１６】
次に、図４を参照しながら本発明に係る印刷システムにおける処理について詳細に説明する。
【００１７】
図４は、印刷システムを有するプリンタ本体のプリンタ本体処理の一例を示すフローチャート図である。なお、Ｓ１〜Ｓ６は、ステップを示す。
【００１８】
先ず、ＭＥＭＯＲＹ（ＲＡＭ／ＨＤ）１０４内の領域初期化等の処理等のプリンタ本体初期処理Ｓ１を行い、ロール紙切断動作の動作内容を設定する設定情報設定処理Ｓ２を行い、印刷処理の初期処理をなす印刷初期処理Ｓ３を行い、印刷本体処理Ｓ４をなす。Ｓ４では、印刷の本体処理をなす中で、ロール紙切断処理Ｓ５を行う。印刷を終えれば、プリンタ本体処理の終了か否かが判定Ｓ６され、否であれば、Ｓ１の後に戻り、終了であれば、処理を終了する。
【００１９】
図５は、図４に示した設定情報設定処理Ｓ２の一例を示すフローチャート図である。なお、Ｓ７〜Ｓ１１は、ステップを示す。
【００２０】
先ず、設定情報の設定がなされたか否かが判定されＳ７、否であれば、設定変更がなされていないと判断し、そのまま処理を終了する。一方、設定がなされたならば、切断条件の設定がなされたか否かを判定Ｓ８し、設定されていなければ、切断条件設定フラグ（ＣＦＬＧ）１０４８をクリアするＳ１２。一方、設定されていたならば、切断条件設定フラグ（ＣＦＬＧ）１０４８を設定しＳ９、サイズ情報をサイズ情報（ＳＩＮＦ）１０４１に格納し該サイズの印刷縦方向長を得てサイズ長情報（ＳＡＩＮＦ）１０４２に格納するＳ１０、次に、サイズ長情報（ＳＡＩＮＦ）１０４２と設定数情報（ＤＣＩＮＦ）との積から切断長を求め切断長情報（ＣＡＩＮＦ）１０４４に格納Ｓ１１し、処理を終了する。
【００２１】
図６は、図４に示したロール紙切断処理Ｓ５の一例を示すフローチャート図である。なお、Ｓ１３〜Ｓ１９は、ステップを示す。
【００２２】
先ず、印刷における処理位置が印刷単位終了であるか否かを判定しＳ１３、否であれば，切断動作をなすことなく処理を終了する。一方、印刷単位終了であれば、切断条件設定フラグ（ＣＦＬＧ）１０４８に設定がなされているか否かを判定Ｓ１４し、設定されている場合は、印刷単位であるページサイズ情報をページサイズ情報（ＰＳＩＮＦ）１０４５に格納し該サイズの印刷縦方向長を得てページサイズ長情報（ＰＳＡＩＮＦ）１０４６に格納するＳ１５。次に、ページサイズ長情報（ＳＡＩＮＦ）１０４６を積算長情報（ＴＡＩＮＦ）１０４７に加え、積算長情報（ＴＡＩＮＦ）１０４７に格納してＳ１６、該ページ印刷実印刷長を得る。Ｓ１７で、切断長情報（ＣＡＩＮＦ）１０４４から積算長情報（ＴＡＩＮＦ）１０４７を減じた値がサイズ長情報（ＳＡＩＮＦ）１０４２より小さいか否かを確認し、切断動作をなすか否かの判定を行うＳ１７。否の場合は、まだ、切断動作を行う単位ではないので処理を終了し、小さいのであれば、Ｓ１８でロール紙切断を行い、積算長情報（ＴＡＩＮＦ）をクリアＳ１９して処理を終了する。
【００２３】
なお、上記一実施の形態においては、ロール紙切断動作の動作有無判定に、ロール紙切断動作の動作内容を設定する設定情報から長さ情報を得て利用したが、その限りではなく、印刷単位の設定数情報そのままであってもよい。
【図面の簡単な説明】
【００２４】
【図１】本発明の一実施の形態を示す印刷システムの構成を説明するブロック図である。
【図２】図１に示した印刷システムのシステム構成の一例を示すブロック図である。
【図３】本一実施の形態において使用される、プリンタ（Ｐｒｉｎｔｅｒ）１のＭＥＭＯＲＹ（ＲＡＭ／ＨＤ）１０４内の領域配置を説明する模式図である。
【図４】印刷システムを有するプリンタ本体のプリンタ本体処理の一例を示すフローチャート図である。
【図５】図４に示した設定情報設定処理Ｓ２の一例を示すフローチャート図である。
【図６】図４に示したロール紙切断処理Ｓ５の一例を示すフローチャート図である。
【符号の説明】
【００２５】
１  プリンタ（Ｐｒｉｎｔｅｒ）
１０１  プリンタ制御用中央処理装置（ＰＣＰＵ）
１０２  プリンタシステムバス（ＰＳＹＳＢＵＳ）
１０３  プリンタリードオンリーメモリ（ＰＲＯＭ）
１０４  プリンタメモリ（ＰＭＥＭＯＲＹ（ＲＡＭ／ＨＤ））
１０５  キーボード（ＫＥＹＢＯＡＲＤ）
１０６  プリンタディスプレイ（ＰＤＩＳＰＬＡＹ）
１０７  プリンタネットワークインターフェースコントローラ（ＰＮＥＴＷＯＲＫ  ＩＮＴＥＲＦＡＣＥ  ＣＯＮＴＲＯＬＬＥＲ）
１０８  プリンタユニット（ＰＲＴＵＮＩＴ）
２  ホストＰＣ（ＰＣ）
３  ネットワーク
【図１】
2007130888.tif 000003
【図２】
2007130888.tif 000004
【図３】
2007130888.tif 000005
【図４】
2007130888.tif 000006
【図５】
2007130888.tif 000007
【図６】
2007130888.tif 000008